(57)【特許請求の範囲】
【請求項１】
飲料調製機（１０１）上にドッキングすることができ、泡立てられたミルクの調製のための器具（２）であって、前記飲料調製機によって生成される蒸気のための接続部と、入口側でミルク供給導管および空気供給路に接続されるギヤポンプ（７）を有するミルク泡立ユニット（５）とを備え、前記ギヤポンプを動作させるために前記飲料調製機から供給される電流のためのインターフェイス（９８）、および前記ギヤポンプによって送給されるミルクの通路上の混合ノズル（７９）によって特徴づけられ、前記ミルク、前記蒸気、および前記空気は、前記混合ノズル（７９）に供給することができる、器具。
【請求項２】
前記混合ノズル（７９）の設計は、前記接続部から流入する蒸気が吸引効果を達成し、空気がこの吸引効果のために前記混合ノズル内に吸引されるように行なわれる、請求項１に記載の器具。
【請求項３】
前記混合ノズルへの空気供給路はバルブ（８８）を備え、それは、流入蒸気を与えられ、前記混合ノズルにおける真空のため、自動的に開き、前記真空はこの流入蒸気により形成され、前記吸引効果を達成する、請求項２に記載の器具。
【請求項４】
前記バルブ（８８）はダックビルバルブである、請求項３に記載の器具。
【請求項５】
前記接続部から流入する蒸気が、前記混合ノズルに流れ込むミルクに作用する吸引効果を達成するように、前記混合ノズル（７９）は設計される、請求項１〜４のいずれか１つに記載の器具。
【請求項６】
前記混合ノズル（７９）は、前記ミルクの流れ方向において前記ギヤポンプ（７）の下流に配置される、請求項１〜５のいずれか１つに記載の器具。
【請求項７】
前記混合ノズルは、ミルク泡沫出口（２８）の直接上に配置され、その出口を通して、前記泡立てられたミルクが前記器具から出る、請求項６に記載の器具。
【請求項８】
前記ギヤポンプへの前記空気供給路は選択的にこれを閉じるために手段を設けられる、請求項１〜７のいずれか１つに記載の器具。
【請求項９】
前記空気供給路の前記選択的な閉鎖のための前記手段は活性化可能なバルブユニット（２０）を備え、その空気は、さらに、前記バルブユニット（２０）を介して前記混合ノズル（７９）に供給することができる、請求項８に記載の器具。
【請求項１０】
前記ギヤポンプを有するミルク泡立ユニット（５）を備え、前記ミルク泡立ユニット（５）はハウジング（１１、１４、１６）を備え、それによってギヤポンプチャンバが形成され、前記チャンバは封止部（２１）によって底部に画定され、前記封止部は、吸引されたミルクのための少なくとも１つのバルブ開口（４２）を有する連続的な物体として設計される、請求項１〜９のいずれか１つに記載の器具。
【請求項１１】
前記飲料調製機によって送給される水および／または蒸気のためのさらなる接続部を備え、流れ方向における前記ギヤポンプ（７）の上流の位置への導管（３２）が、このさらなる接続部から至る、請求項１〜１０のいずれか１つに記載の器具。
【請求項１２】
ミルクを受けるための容器（３）、および前記ギヤポンプ（７）を伴うミルク泡立ユニット（５）を備え、前記ミルク泡立ユニット（５）および前記容器（３）は、それらの外形に関して、互いに一致され、前記ミルク泡立ユニットを、前記容器（３）上に、これを閉鎖する態様で配置することができるようにされる、請求項１〜１１のいずれか１つに記載の器具。
【請求項１３】
前記容器上（３）に配置された前記ミルク泡立ユニット（５）上に、および直接前記容器（３）上に適合する蓋を備える、請求項１２に記載の器具。
【請求項１４】
請求項１〜１３のいずれか１つに記載の器具、および前記器具をその上に結合することができる飲料調製機を備える、飲料調製システム。
【発明の詳細な説明】
【技術分野】
【０００１】
この発明は飲料の調製のための器具の分野に関する。特に、それはミルク泡沫およびミルク飲料の生成のための器具であって、飲料調製機およびそのような器具を有する飲料調製システム上にドッキングさせられることができる器具に関する。
【背景技術】
【０００２】
コーヒーマシンの統合されたモジュールとしての、またはコーヒーマシン上にドッキング可能な別の器具としてのミルク泡立器具が公知である。ＥＰ  ２  ０４７  ７７９は、ドッキング可能なミルクモジュールを有するコーヒーマシンを開示し、コーヒーマシンからの高温の蒸気を用いて、ベンチュリ原理に従ってミルクモジュールの容器から吸引されるミルクを泡立たせる。
【０００３】
上に記載したような、ベンチュリ原理に基く方策は、ホットミルク泡沫しか調製できない。しかしながら、低温のミルク泡沫の調製も多くの場合望ましい。ＥＰ  ２  ３２６  ２２４は、たとえば中央の泡沫生成要素としてギヤポンプを含むミルク泡立て器を示す。ギヤポンプの入口側において、これは空気を吸引し、ギヤによって、および出口側において送給されるときに同時に泡立てられるミルクは、泡立てられたミルクとして分配供給される。任意で、蒸気を、加えて、ギヤポンプにおいて供給することができ、そのため、分配供給された泡立てられたミルクは暖かい。
【発明の概要】
【発明が解決しようとする課題】
【０００４】
この発明の目的はミルク泡沫の生成のための器具を提供することであり、それは、現状技術の不利益を克服し、多数の考えられ得る使用事例についてミルク泡沫の生成を可能にする。
【課題を解決するための手段】
【０００５】
この発明に従う、泡立てられたミルクの調製のための器具は、飲料調製機上にドッキング可能であり、この目的のため、飲料調製機によって生成される蒸気のための少なくとも１つの接続部、および飲料調製機によって与えられる電流のためのインターフェイスを備える。器具はさらにギヤポンプを備える。ギヤポンプは入口側においてミルク供給導管および空気供給路に接続される。このミルク、蒸気および空気が供給され得る混合ノズルが、さらに、ギヤポンプによって送給されるこのミルクの経路に存在する。
【０００６】
ギヤポンプと、関連付けられる空気供給路と、液体のギヤポンプへの、およびギヤポンプからの移送に必要な導管とは伴うが、混合ノズルは伴わない群は、本明細書では「ミルク泡立ユニット」と称される。実施の形態では、ミルク泡立ユニットは、動作パラメータが読取値および／またはオペレータ入力に依存する態様で調整可能なように、構成することができる。ここで「調整すること」によって意味されるのは、ミルク泡立ユニットの少なくとも１つの動作パラメータに対して影響を及ぼすことであり、それは、これが能動的なミルク泡立動作中にどのように作用するかに影響する。したがって、調整性は、現状技術から公知であるような、単なる「オン／オフ」とは異なる。特に、調整性はユーザによって指定されるパラメータおよび／または制御によって指定されるパラメータが生成されるミルク泡沫の特性および／または量に影響を有するような態様で行なわれる。特に、調整可能な動作パラメータは、ギヤポンプの速度または供給される空気量であり得、それは、たとえば調整可能なバルブ開口を有するバルブユニットによって調節することができる。
【０００７】
特に混合ノズルは、蒸気接続部から混合ノズル内に入る流入蒸気がそれ自体公知の態様で吸引効果を達成するように、設計することができる。空気の吸引、および混合ノズルに供給されたミルクとの混合は、この吸引効果により行なわれ得、それによって、泡立てられたミルクを生成でき、このミルクは蒸気によって放出された熱のために暖かく、この熱は、主に、しかし排他的でなく、凝縮熱としてミルクに放出される。この吸引効果は、いわゆるジェットポンプとの組合せにおいてそれ自体公知であるように、ベルヌーイの法則（その場合、混合ノズルは、たとえばベンチュリノズルとして設計することができる）および／またはインパルス伝送に基くことができる。
【０００８】
実施の形態では、混合ノズルへの空気の供給は、ギヤポンプの入口への空気の供給と共通の入口を有することができ、たとえばミルク泡立ユニットから来る態様で行なわれ得、および場合に応じて、同様に、より詳細に以下に記載される好適な調節手段により調節することができる。
【０００９】
混合ノズルへの空気の供給は代替的に別の入口を有することもでき、たとえば外方向に向かって周囲へと至るバルブにより形成され得、それは、蒸気の供給を与えられ、これにより生成される混合ノズルにおける真空のために自動的に開く。そのようなバルブは、特にダックビルバルブとして設計することができる。
【００１０】
記載されたタイプの吸引効果がさらにノズルに流れ込むミルクに対して存在するように、混合ノズルを構成することができる。しかしながら、後者は、ギヤポンプによってミルクを送給する可能性のためには必要ではない。対照的に、ミルクは、さらに、ある位置で混合ノズルに入ることができ、そこでは本質的に真空は存在しない。
【００１１】
ギヤポンプの入口側における空気供給路はオン／オフを切換えることができるように設計することができる。特に空気供給路の切換オフは、暖かいミルク泡沫がいずれにせよ生成されることになっている場合、意味をなし、ギヤポンプはミルクを送給（移送）することに対してのみ用いられる。
【００１２】
混合ノズルは、たとえばミルク泡沫出口の直接上に配置することができる。
泡立てられたミルクの調製のための器具（ミルク泡立器具）は、冷たい泡立てられたミルクおよび暖かい泡立てられたミルクを調製することができる。
【００１３】
ミルク−特にミルク泡立器具に属するミルク容器からの−はギヤポンプにより吸引され、空気も、冷たい泡立てられたミルクの調製のために、空気供給路を通って同時に吸引される。泡立てられたミルクは、したがってギヤポンプの出口側で生じる。スロットルが、さらに、ギヤポンプの出口側で存在し得、そのようなスロットルは、泡立てられたミルクのためのチャネルを狭くすることにより形成することができる。
【００１４】
泡立てられたミルクはミルク泡沫出口を介して分配供給することができる。混合ノズルはギヤポンプからミルク泡沫出口への通路上に位置することができ、冷たく泡立てられたミルクが調製されることになっている場合、蒸気はこのノズル内に導かれず、したがって、空気もその中に吸引されない。この場合における混合ノズルは、泡立てられたミルクの通過のためにのみ働く。
【００１５】
さらに、ポンプから来る冷たいミルク泡沫のための導管、および混合ノズルにおいて形成された暖かいミルク泡沫のための導管を、出口まで、互いと分離して保持することも考えられ得、つまり、そのとき、冷たいミルク泡沫は混合ノズルを介して導かれない。その場合、ミルク泡沫出口は、互いから分離した冷たいミルク泡沫のための開口および暖かいミルク泡沫のための開口、たとえば互いに対して同心のものを含むことができる。さらに、互いから空間的に大きく分離され、冷たいミルク泡沫および暖かいミルク泡沫のためのものである完全に別々のミルク泡沫出口も考えられる。
【００１６】
ミルクは、暖かい泡立てられたミルクの調製のために、ギヤポンプを介して同様に吸引および送給されることができる。ミルクとは別に、飲料調製機からの蒸気も混合ノズルに供給される。これは、上に記載された吸引効果を生じさせる。暖かい、泡立てられたミルクは、混合ノズルにおける冷たいミルク、蒸気および空気の混合により生じる。
【００１７】
ギヤポンプへの空気の供給‐この可能性が構想される限りにおいて‐は、暖かい泡立てられたミルクの調製を想定して、任意でオフに切換えることができる。これが構想または所望ではない限り、ミルクは、混合ノズルが好ましいようにギヤポンプの後に位置する限りにおいて、依然として低温状態にある間に、前もって泡立てられる。
【００１８】
混合ノズルへの空気の供給は、さらに、任意で、閉鎖可能な態様で設計することができ、その場合、泡立てられず暖かいミルクの調製も考えられ得る。そのとき、ユーザはさらに、単に冷たいミルクを送給するために、ギヤポンプを用いることができる。
【００１９】
実施の形態では、ミルク泡立ユニットはハウジングを含む。このハウジングは、ある状況の下で、カバー（それはここではハウジングに属するとして数えられる）および／または他の要素とともに、ギヤポンプチャンバを形成する。このチャンバは封止部によって底部に画定される。封止部は、吸引されたミルクのための少なくとも１つのバルブ開口を有する連続的な物体として設計される。吸引されるべきミルクのための導管は、
・封止部の面を通って突出するシャフトを介してギヤを駆動するギヤポンプの電気モータ、
・空気の供給のためのバルブユニット、
・空気の供給のための導管、
・ギヤポンプに至る空気供給導管、および／または
・飲料調製機上へのドッキングのために働き、蒸気のための接続部およびインターフェイスを含むドッキング要素内への遷移部とならんで、
封止部の下に位置し、ハウジング上に固定されるか、またはこのハウジングによって形成される。
【００２０】
これらの要素は、封止部の下に、各場合において、単独でまたは任意の組合せで存在することができる。
【００２１】
ダックビルバルブは、下側から上側へのミルクの運搬のために、および場合に応じて下側から上側への空気の運搬のために、および場合に応じて別の導管によって供給することができる清掃水または清掃蒸気の液体導管内への運搬のために、封止部それ自体によって形成することができる。
【００２２】
非常に単純な態様では、この設計は、一方では泡立てが生ずる（上側）領域と、他方では供給路および電気的に動作される部品の領域との間において、封止を可能にする。清掃に関する重要な利点は、さらに、単一の封止部を伴う簡便な構造の結果として生じる。
【００２３】
言及された蒸気のための接続部に加えて、ミルク泡立器具は、たとえば、飲料調製機によって送給され、水洗および清掃のために用いられることができる、高温の水および／または蒸気のためのさらなる接続部を含むことができる。清掃水または清掃蒸気のためのこの接続部からの導管が存在することができ、これは、たとえばミルク泡立ユニット内に走り、場合に応じて、水洗のために働き得、ある状況の下では、さらに、供給導管および送出導管を含むギヤポンプの殺菌のために働き得る。バルブ、たとえばダックビルバルブがこの導管とギヤポンプの入口側との間において存在することができ、より低い圧力が、導管におけるよりも、ギヤポンプの前の領域にあるときに、このバルブは自動的に閉じるが、それは、通例、清掃水または清浄蒸気を供給せずに、ギヤポンプの動作中の場合になる。
【００２４】
実施の形態では、飲料調製機はさらに空気放出位置を備えることができ、それを介して空気を、機械の内部の、特に電子的に制御されるバルブユニットから、ミルク泡立器具に、たとえば場合に応じてそのギヤポンプに、調節された態様で、放出することができる。そのような実施の形態では、ミルク泡立器具は、加えて、飲料調製機から来てミルク泡立ユニットに送給される空気のための空気接続部を含むことができる。
【００２５】
既に言及されたように、ミルク泡立ユニットはミルクを受けるために容器を含むことができる。実施の形態では、容器およびミルク泡立ユニットは、それらの外形に関して、互いと一致され、ミルク泡立ユニットが容器上に配置することができ、これを閉鎖するようにされる。任意で蓋を設けることができ、これは容器上に配置されたミルク泡立ユニット上に、および直接容器上に、適合し、これは、容器が使用後に空でなく、冷蔵庫で保持されることになっている場合、非常に実用的である。
【００２６】
この発明は、さらに、記載されたタイプの器具、および加えて飲料調製機を有する、飲料調製システムに関する。飲料調製機‐たとえばコーヒーマシン‐はたとえば水容器、水ポンプおよび湯沸し器を含む。さらに、抽出材料からの抽出により加熱水からホット飲料を調製するための淹出チャンバが存在する。飲料調製機は、さらに、先に論じられたバルブユニットの活性化および場合に応じて調節を含み、または‐このユニットがミルク泡立器具の一部である場合には‐それと通信を行うようにそれに接続される電子機器ユニットを備えることができる。ユーザの入力は、好ましくはこの電子機器ユニットの入力位置で行なわれ、抽出材料を有するコーヒーカプセルの認識は、場合に応じてこの電子機器ユニットによって同様に行なわれる。蒸気の流れの制御もこの電子機器ユニットによって行なわれる。
【００２７】
この発明の実施の形態例は、以下に図面によって記載される。同じまたは類似の要素は図において同じ参照番号によって示される。
【図面の簡単な説明】
【００２８】
【図１】泡立てられたミルクの調製のための器具（ミルク泡立器具）の図である。
【図２】ミルク泡立器具の分解図である。
【図３】ミルク泡立器具のミルク泡立ユニットの分解図である。
【図４】水平面に沿って切断されたミルク泡立ユニットの図である。
【図５】ギヤポンプの要素を伴うミルク泡立ユニットの封止部の部分図である。
【図６】水平面に沿って切断されたミルク泡立ユニットの上側メインハウジング部品の図である。
【図７】上側メインハウジング部品の下からの図である。
【図８】鉛直面に沿って切断された上側メインハウジング部品の図である。
【図９】ミルク泡立ユニットのバルブユニットの図である。
【図１０】バルブユニットの分解図である。
【図１１ａ】バルブユニットを平面図において示す。
【図１１ｂ】バルブユニットを側面立面図において示す。
【図１１ｃ】バルブユニットを正面立面図において示す。
【図１２】バルブユニットを伴うミルク泡立ユニットの上からの図である。
【図１３】バルブユニットを通ってある面に沿って切断されたミルク泡立ユニットの図である。
【図１４ａ】斜め上からのドッキング要素の図である。
【図１４ｂ】斜め下からのドッキング要素の図である。
【図１５ａ】補足部品の図である。
【図１５ｂ】補足部品の図である。
【図１５ｃ】補足部品の図である。
【図１５ｄ】補足部品の図である。
【図１６ａ】主本体の図である。
【図１６ｂ】主本体の図である。
【図１７ａ】外部ハウジングなしのドッキング要素の図である。
【図１７ｂ】外部ハウジングなしのドッキング要素の図である。
【図１７ｃ】外部ハウジングなしのドッキング要素の図である。
【図１７ｄ】外部ハウジングなしのドッキング要素の図である。
【図１８ａ】ドッキング要素の機能が明らかである器具の部品の図である。
【図１８ｂ】ドッキング要素の機能が明らかである器具の部品の図である。
【図１８ｃ】ドッキング要素の機能が明らかである器具の部品の図である。
【図１９】ミルク泡立器具を伴う飲料調製システムの図である。
【図２０】飲料調製システムの、鉛直面に沿って切断されて表された詳細を示す。
【図２１】ミルク泡立器具の飲料調製機上へのドッキングに関する詳細を示す。
【図２２】ミルク泡立器具の詳細の図である。
【図２３】飲料調製システムの概略図である。
【図２４】代替的実施の形態において、ドッキング要素を伴う、部分的にのみ描かれるミルク泡立器具の断面図である。
【図２５】代替的実施の形態におけるこのミルク泡立器具の図である。
【発明を実施するための形態】
【００２９】
泡立てられたミルクの調製のための器具（ミルク泡立器具）１が、図１において全体として表される。図２は、その部品の分解図を示す。
【００３０】
器具１は、ミルク容器３、ミルク泡立ユニット５および蓋６を備える。
ミルク容器３は断熱目的のために、表された実施の形態において二重壁態様で設計されるが、一重壁設計も考えられ得る。それは透明か、またはミルクの液位をチェックするために視界窓を含むことができる。
【００３１】
ミルク容器３および蓋６を互いに一致させて、蓋６が、ミルク容器３上に、それの間に配置されるミルク泡立ユニット５なしに、直接配置することができるようにし、それよって、蓋を伴う充填されたミルク容器をたとえば冷蔵庫に入れることができる。ミルク容器および蓋は、さらに、単純な態様で清掃でき、たとえば食洗機対応態様で設計することができる。
【００３２】
ミルク泡立ユニット５の要素が図３における分解図で表される。下側メインハウジング部品１１は、ギヤポンプに属する電気モータ１３、および上側メインハウジング部品１４を担持する。側方窓１２は上側メインハウジング部品に形成される。
【００３３】
上側メインハウジング部品１４は概ね円筒形の谷部を形成し、その中において、ギヤポンプのギヤ１７が配置される。ギヤポンプのギヤ１７は、電気モータ１３に接続されるシャフト１９を介して駆動される。封止部２１は、谷部を底部に封止する。
【００３４】
ギヤ、シャフトおよび電気モータに加えて、ギヤポンプもそれ自体のハウジングを有することができ、またはそのようにメインハウジングもしくは他の部品内に、たとえばミルク泡立ユニットカバー１６内に統合されることができる。表された実施の形態例では、ギヤ１７を包含するポンプチャンバがアーチ形状部１５（図１２でさらに明瞭に見える）のために封止部２１とミルク泡立ユニットカバー１６との間において形成されるように、ミルク泡立ユニットカバー１６は形状化される。
【００３５】
バルブユニット２０が、さらに、メインハウジング１１、１４上に固定される。
ミルク吸引管１８（図３において表されず）が、器具１の組付けられた状態において、ギヤポンプの面から下方向に延在し、ミルク容器３内に、およびほとんどこのベースまで、突出する。
【００３６】
接続形状化部品２２が、さらに、ギヤポンプの下に存在する。この部品は窓１２を封止し、同時に、以下に記載され、一方ではメインハウジングに、および他方ではドッキング要素に固定される、ミルク泡立器の導管の接続のためのフィードスルーを形成する。
【００３７】
同様に図３で見えるのはスペーサ２３およびモータ封止要素２４である。
ドッキング要素はドッキング要素本体を含み、それはドッキング要素ハウジング２６によって保護される。ドッキング要素本体は主本体２５およびさらに以下に詳細に記載される補足部品２７によって形成される。補足部品２７が下方に突出するミルク泡沫出口２８を含むことは、既に図３で理解され得る。
【００３８】
図４は、封止部２１によって規定された封止面より上にある面に沿って切断されたミルク泡立ユニット５の、上からの図を示す。平面図におけるライターラインは、さらに下を走る要素を表し、それら自体は見えない。
【００３９】
ギヤポンプは封止面より上に取付けられる。上側液体導管３１はギヤポンプに至る。これは、封止２１によって形成され、さらに、図５において明瞭に見えるダックビルバルブ４２、４１を介して、一方ではミルク吸引管１８に、ならびに他方では湯導管および／または蒸気供給導管３２に接続される。空気供給導管３４は、上側液体導管に、つまりギヤポンプに入口側で、同様に、封止によって形成されるダックビルバルブ４３を介して、接続される。
【００４０】
選択された動作条件に依存して、既に泡立てられている、送給されたミルクのためのフィードスルー３６がギヤポンプの背後に配置され、このフィードスルーを介して、このミルクは、再び封止面を通って下方向に進み、それは送出導管３５を通ってドッキング要素に入る。
【００４１】
図６〜図８は、図６において水平面に沿って、図８において鉛直面に沿って、および図７において下からの図で切断されて表される上側メインハウジング部品１４の図をさらに示す。
【００４２】
下側導管は接続形状化部品２２の管によって形成され、それらは上側メインハウジング部品１４の対応するチャネル内に置かれる。これらのチャネル、つまり湯および／または蒸気供給導管３２のためのチャネル５１、空気供給導管３４のためのチャネル５２、および送出導管３５のためのチャネル５３は、図７に従って下からの図において特に明瞭に見える。
【００４３】
封止部２１（図８）は、上側メインハウジング部品１４とミルク泡立ユニットカバー（図８には示されない）との間において圧締めされる。ギヤ１７を含むギヤポンプのポンプチャンバは、ミルク泡立ユニットカバー（図３；図１２）におけるアーチ形状部１５のため、ミルク泡立ユニットカバーと上側メインハウジング部品との間において形成される。
【００４４】
さらなるオプション機能を図８に見ることができる。選択された動作条件に依存して既に泡立てられている、送給されたミルクのためのフィードスルー３６は、スロットルの態様で狭くなる。背圧がこれによりギヤポンプにおいて生成され、その圧力のために、流量はそれ自体を調節する。この背圧は冷たいミルクの効率的な泡立てに寄与する。
【００４５】
図９は、バルブ要素２０の図を示し、図１０は、バルブユニットの分解図を示し、図１１ａ〜図１１ｃは上からの図においてバルブユニットを示し、図１１ａにおける線Ｅ−Ｅ、および図１１ａにおける線Ｄ−Ｄに沿って切断されている。
【００４６】
図１２は、ドッキング要素およびミルク吸引管なしに、バルブユニット２０を伴うミルク泡立ユニットの図を上から示し、図１３は、これが図１２において線２１３を通る鉛直面に沿って切断されたものを示す。
【００４７】
バルブユニット２０は２つのバルブ要素を共通のバルブハウジング６１において含む。各バルブ要素は、鉛直軸に沿って選択された設置状況において、封止要素６３を担持し、軸に沿って可動である閉鎖要素６２を含む。上方移動は、電磁石６４により、電磁石（またはバルブハウジング）と固定リング６６との間において応力をかけられたばね６５の力に抗して行なわれる。閉鎖要素および封止要素によって上側で形成されるバルブ要素の頭部は、上側メインハウジング部品１４において開口を通って突出する（図１２および図１３を参照）。閉じた状態では、それぞれの封止要素６３の封止部分６７はばねの力によって上側メインハウジング部品１４の表面に対してそれぞれの開口の周囲に沿って押圧される。
【００４８】
両方のバルブで、バルブチャンバ７１は、各場合において、上側メインハウジング部品１４のそれぞれの壁と封止部６８との間において形成される。封止要素６３を伴う閉鎖要素が電磁石によって持上げられると、流入開口が形成され、その流入開口を通って、空気が外側からそれぞれのバルブチャンバ７１内に流れることができ、およびこれから空気接続スタブまたはブランチ７３を通って（共通の）空気供給導管に入ることができる。
【００４９】
２つのバルブ要素を互いから独立して作動させることができ、各場合において個々にまたはともに開くことができる。これにより、異なる開弁状態を生じさせることができる。全体として、４つの開弁状態が、バルブ要素のどちらの１つだけが開いており他方は閉じていること、両方が開いていること、または両方が閉じていることによる結果、生じる。
【００５０】
実施の形態では、バルブ要素および／またはそれぞれ形成された流入開口のサイズが異なるように大きな程度に選択されること、および／またはバルブ要素の１つによって入れられる空気が他のバルブ要素によって入れられる空気よりも著しく大きな流動抵抗を受けることも意味があり得る。４つの異なる規定された開口条件はそのとき定量的に異なる。たとえば、バルブ要素の１つの流入開口は、他方のバルブ要素の流入開口の２倍のサイズであり得、状態「０」（エアバルブは完全に閉じられる）、「１／３」（より小さなバルブ要素は開いている）、「２／３」（より大きなバルブ要素は開いている）、および「１」（両方のバルブ要素が開いている）を選択することができる。
【００５１】
空気流調節要素、たとえば３／２ウェイバルブ（図示せず）などの、それによってバルブチャンバ７１と混合ノズルとの間の通路またはバルブチャンバとギヤポンプの入口との間の通路を開くことができ、それぞれの他方の通路は閉じることができる空気流調節要素を、混合ノズルまたはギヤポンプは空気を供給されることになっているかどうかを調節するために、空気流方向においてバルブユニットの下流に接続される態様において配置することができる。しかしながら、そのような空気流調節要素は取り除くことができ、そのとき、その調節は、それぞれのバルブ要素によって、これらが、出口側での真空のためにのみ開き、この態様において、必要とされないそれぞれの通路内への泡立てられたミルクの逆流を防止することにより、自動的に行なわれる。
【００５２】
ドッキング要素の動作の構造および態様は、図１４ａ〜図１８ｃにより以下に記載される。図１４ａおよび図１４ｂは、それぞれドッキング要素の斜め上および斜め下からの図を示す。図１５ａおよび図１５ｂは補足部品２７を展開状態において、ならびに図１５ｃおよび図１５ｄは折畳まれた状態において示す。図１６ａおよび図１６ｂは主本体２５を示す。図１７ａ、図１７ｂおよび図１７ｃは、図１７ｄにおいて面Ａ−Ａ、面Ｂ−Ｂおよび面Ｃ−Ｃに沿って切断されたドッキング要素を示す。図１８ａは、上から器具の図を示し、図１８ｂおよび図１８ｃは、図１８ａにおいて面Ａ−Ａおよび面Ｂ−Ｂに沿ってそれぞれ切断された器具の断面図の断面を示す。
【００５３】
図１４ａおよび図１５ｃにおいてたとえば前部にある表側端部は、動作でコーヒーマシンに結合され、一方、対向する端部はミルク泡立ユニット５に結合され得る。
【００５４】
主本体２５は、全体として好適で耐熱性のあるプラスチックの形状化された本体として設計され、たとえば射出成形された部品として製造されることができる。補足部品２７は、たとえばシリコーンから製造される。それは１片のものであり、全体として一体的にその上に形成される機能要素を伴う広範囲にわたる（シート状の）態様において設計される。広範囲なセクションの全体は、ここでは「ベース」として示される。連続的開口および溝状の凹部によって形成され、主本体２５のまわりにおいて自由な折曲げを可能にするジョイント８１が、広範囲なセクション８０間において形成される。溝間の広範囲なセクション８０の寸法は主本体の寸法に一致させる。
【００５５】
ミルク泡沫出口２８とは別に、補足部品２７の機能要素は、フィードスルー８２〜８６および混合ノズル要素８９によって形成される。
【００５６】
主本体２５はフィードスルー導管９６を形成し、それは、コーヒーマシン側の端部から対向する端部へと通過し、清掃水（冷たいか、またはコーヒーマシンによって加熱された）または清浄蒸気のためのものであり、必要な場合、前記水または蒸気はフィードスルー導管９６から湯および／または蒸気供給導管３２内に進み、およびこれから、清掃されるべき要素、特にギヤポンプ内に進む。補足部品のフィードスルー８６、８４は、フィードスルー導管９６に対して、各場合において、コーヒーマシン側およびミルク泡立器側に割当てられる。
【００５７】
蒸気接続部（蒸気がそれを通ってコーヒーマシンから混合ノズル内に入る）も形成される。蒸気接続部は、補足部品２７の割当てられたバルブ８７とともにフィードスルー８５によって形成され、前記フィードスルーは、主本体２５の蒸気接続開口９５内に突出する。
【００５８】
ミルク泡立器側において、空気およびミルクの供給のために設けられ、補足部品の対応するフィードスルー８２、８３がその中へと突出する開口９２、９３が、各場合において主本体に形成される。空気フィードスルー８２は割当てられたバルブ８８を設けられ、これはちょうど蒸気バルブ８７のようにダックビルバルブとして設計され、補足部品２７の残りの部分と一体のものである。
【００５９】
混合ノズルについて、主本体２５は、混合ノズル開口９９を含み、混合ノズル要素８９はその中へと突出する。ミルク泡沫出口継続部９１、およびこれを取り囲む位置決めリング９４が、さらに、下側に形成され、補足部品の対応する構造９０と協働する。
【００６０】
混合ノズルは、混合ノズル要素と主本体２５の対応して形状化されたチャンバとの間に形成される。
【００６１】
バルブ８７を介して、蒸気接続部を介して供給される蒸気は、混合ノズルチャンバ９７に入り、それは、たとえば図１７ｃにおいて特に十分に見ることができる。真空が混合ノズルチャンバ９７において蒸気の流れにより形成され、その真空によって、空気およびミルクが、それぞれのフィードスルー８２、８３（図１７ｂ、図１８ｂ）を介して吸引される。ミルク泡沫は混合ノズルチャンバにおいて生じて、下方向に、ミルク泡沫出口２８を通って進み、準備ができて待機する飲料容器に入る。泡立てられたミルクは、蒸気によって放出された凝縮熱により暖かい。
【００６２】
蒸気が通って高速で出る小さなノズル開口のため、混合ノズルはしたがって、真空がノズル効果により形成されるように、設計される。これはさらに、たとえミルクがギヤポンプのため積極的に送給される場合であっても、ミルク導管からのミルクの移送を支援する。
【００６３】
常圧またはわずかな過剰圧力が混合ノズルチャンバ９７の内側において優勢である場合、ダックビルバルブ８７、８８は閉じられる。しかしながら、対照的に、−蒸気が流れ込むとすぐに−真空がベルヌーイ効果および／またはインパルス伝送のために優勢である場合には、それらは両方とも自動的に開く。
【００６４】
混合ノズルチャンバ内への空気の供給は、さらに、バルブユニットを通る代りに、たとえばダックビルバルブを介して、外部から直接行なうことができ、そのとき、互いから独立した２つの空気経路が、結果として、一方では混合ノズルチャンバのために、および他方ではギヤポンプのために生ずる。
【００６５】
混合ノズルチャンバ内への直接の空気の供給を伴うような設計も、実施の形態に対して選択することができ、たとえば、それによって、ここに記載される例とは異なり、電気的に動作される駆動部手段（電気的に動作されるポンプ）は存在せず、混合ノズルの吸引効果を利用しながら、単に蒸気に支援された態様において泡立てる。
【００６６】
ドッキング要素は、ミルク泡沫出口２８がホット飲料のための出口に接近してあり得るように、設計される。この目的のために、それは、飲料調製機の対応する面に結合された端面２９の直接近くにおいて配置される。先に論じられたように、その距離は２．５ｃｍ以下であり、好ましくはそれよりさらに少ない。距離は、通常のように、端面によって規定される（鉛直）面に垂直に、この面とミルク泡沫出口から出る出口開口の中心点との間において測定される距離として、測定される。
【００６７】
さらなるオプション機能が、図１７ｃにおいて特に明らかである。‐一般的に泡立てられた‐ミルクが下方向に流れる出口チャンバ８６は、ミルク泡沫出口２８においてテーパする。これは一方ではさらなる泡沫形成および泡沫均質化効果があり、他方ではミルクまたはミルク泡沫の流れをチャネルで運ぶ。
【００６８】
図１９は、ミルク泡立器具１およびその上にミルク泡立器具１が結合されるコーヒーマシン１０１を伴う完全な飲料調製システム１００の図を示す。図２０は、出口フードが切断された態様において表された、この器具に関する詳細を示す。
【００６９】
コーヒーマシンは、コーヒーマシンに関してそれ自体公知であるように、水容器、水ポンプおよび湯沸し器を備える。コーヒー粉からの抽出により加熱水からコーヒーを調製するための淹出チャンバがさらに存在し、前記コーヒー粉末は、たとえば、調製の前に先にコーヒーマシンに挿入されたポーションカプセルにおいて設けられる。ポーションカプセルシステムに対する代替物として、コーヒーマシンは、さらに、コーヒーミルを含み、分配された態様においてコーヒー粉を挽き、それを淹出チャンバに供給する、いわゆる「豆からカップへの」コーヒーマシンとして設計することができる。さらなる代替物として、特にコーヒーマシンがピストンマシンとして設計される場合、つまり、淹出チャンバが固定部品と取外し可能なピストンとの間において形成される場合、さらに、コーヒー粉を、それが既に挽かれてはいるが緩い（圧縮されていない）状態にある態様でユーザによって淹出チャンバ内に入れられることを構想することができる。
【００７０】
コーヒーマシンは、さらに（コーヒーマシンの設計に依って、カプセルまたは緩い態様における）使用済コーヒー粉ポーションのための捕捉容器を含むことができる。
【００７１】
飲料容器またはカップの配置のための配置プラットフォーム１０３が、コーヒーマシン上に形成される。これは、たとえば、捕捉皿が下に位置する格子により形成することができる。実施の形態では、配置プラットフォームは好適な態様では高さ調整可能であり得る。
【００７２】
コーヒー出口１０５は、淹出されたコーヒーがそれを介して流出し、その下にあるカップまたは容器に入るものであり、配置プラットフォーム１０３より上に位置する。この出口は、コーヒーマシンハウジングの一部を形成し、出口を少なくとも部分的に前部および側部に覆う出口フード１０８より下に位置する。
【００７３】
コーヒーマシン１０１は前部１０６を形成し、そこから、他のコーヒーマシンからそれ自体公知であるように、一方では、配置プラットフォーム１０３が突出し、他方では、これより上に、出口フード１０８が突出する。
【００７４】
ここで、ドッキングしたミルク泡立器具１が上に配置されるミルク泡立て器プラットフォーム１０７が、同様に前部から突出する。
【００７５】
コーヒーマシン上へのドッキング要素の接続部のための接続位置１１０は、コーヒー出口１０５の近くにおいて、ここでは出口フードより下に位置する。この接続位置は、ドッキング要素の蒸気接続部上に結合するための蒸気送給位置１１１と、フィードスルー導管８３上に結合するための湯および／または蒸気送給位置１１２とを含む。蒸気送給位置１１１ならびに湯および／または蒸気送給位置１１２は、必要に応じて、それぞれ湯沸し器から蒸気および湯を供給され、コーヒーマシンの内側におけるマルチウェイバルブは、加熱された液体または蒸気を、淹出モジュール、蒸気送給位置、または湯および／もしくは蒸気送給位置１１２に選択的に供給することができる。
【００７６】
接続位置はさらに好ましくは電気接点１１３を含み、それらは図２１において概略的に表される。これらの電気接点１１３は飲料調製機側においてインターフェイスを形成し、結合オンのドッキング要素を与えられて、ドッキング要素を通って至る電気的なリードに接続されるかまたはこれらによって形成される、対応する電気的接続要素接点への電気的接続を形成する。これらの電気的なリードは、ミルク泡立器具の電気的に駆動される要素、具体的にはギヤポンプに、電気および制御信号を、場合に応じて供給する。
【００７７】
それによって、ミルク泡立器具においてこれらの電気的に駆動される要素の制御を与えること（そのとき、この器具は必要な電子ユニットを設けられ、コーヒーマシンまたはミルク泡立器具の入力ユニットから制御信号を受信する）、およびコーヒーマシンそれ自体においてこれらの要素の制御を適応させることが可能である。後者の場合では、本質的に、制御の設定に従って電気的に駆動される要素を駆動する電流のみが、電気的なリードを通って導かれる。
【００７８】
ミルク泡立器具１のドッキングは側部から出口フード１０８上に対して行なわれ、具体的には、コーヒーマシンの前に、および出口フード１０８の横方向に、ミルク泡立器具が全体として配置されるように行なわれる。ドッキングは、たとえば前部１０６に沿って、組付けられたミルク泡立器具の、単純で、線形の、横方向移動により行なわれる。
【００７９】
図２１（ミルク泡立器具１を結合解除された状態において示す）および特に図２２（コーヒーマシンなしのミルク泡立器具）において見ることができるように、電気的なリードおよびドッキング要素側における対応する接点９８はドッキング要素ハウジング２６上に形成される。リードは、絶縁線もしくは撚線導体によって、またはプリント回路（回路基板もしくはフレックスプリント）の条導体などによって、形成することができる。
【００８０】
特にギヤポンプの制御は、ギヤ１７の速度が調整可能である、つまり選択可能であるように構成される。これにより、ユーザは送給速度を制御することができ、−以下により詳細に記載される手順に従って−場合に応じて、冷たい泡立てられたミルクの調製を制御することができる。
【００８１】
図２３は、ミルク泡立器具および飲料調製機（コーヒーマシン１０１）上へのその結合部の概観図を示す。空気供給路は図においては「Ｌ」として示される。文字Ｄは、蒸気のための導管を示し、Ｋは、ホット飲料のための導管を示し、Ｒは、清掃水または蒸気のための導管（オプション）を示し、Ｓは電気供給を示す。
【００８２】
ここで活性化部１９５はコーヒーマシン１０１の電子機器ユニット１２１の一部として表される。電子機器ユニット１２１は、たとえば測定値によりカプセルを認識するよう、および／またはたとえば対応するボタン、タッチスクリーンなどを伴う好適な操作要素を介してユーザ入力を受入れるよう、構成される。
【００８３】
ここで、活性化部１９５は、それがギヤポンプ７およびバルブユニット２０を活性化することができるように設計され、ギヤおよび／またはバルブユニットの動作パラメータを調節（閉ループ制御）することができる。バルブユニット２０および／またはギヤポンプ７のための活性化信号は、直接、接続位置１１０を介して流れる。
【００８４】
活性化部をコーヒーマシンにおいて完全にまたは部分的に組入れることと代替的に、活性化部１９５’が、さらに、完全にまたは部分的にミルク泡立器具の一部として存在することができる。この代替物は図２０において破線態様で表される。そのとき、電気エネルギおよび場合に応じてデータ信号は、電子機器ユニットから活性化部１９５’に代替的なインターフェイス１１０’を介して送信することができる。
【００８５】
混合ノズルは、全体として参照番号７９によって示される。
ミルク泡立器具は以下のように動作することができる：
冷たい泡立てられたミルクの調製のために、バルブユニット２０のバルブ要素の少なくとも１つが開いている間に、ギヤポンプが作動状態にセットされる。真空がこのポンプの効果のためにギヤポンプの入口側に形成され、この真空は、ミルク吸引管１８および対応するダックビルバルブ４２を通してミルクを、ならびにバルブユニット２０および対応するダックビルバルブ４３を通して空気を、吸引する。したがって、ミルク泡沫がギヤポンプにおいて生じ、フィードスルー３６−その狭さが微細な空孔の泡沫の形成を促進する−、送出導管およびドッキング要素２５を通って、ミルク泡沫出口２８に達し、そこで分配供給され、一般的に、飲料容器２００がプラットフォーム１０３上に配置される。
【００８６】
ギヤポンプを介するミルク容器３からの概して冷たいミルクの吸引は、暖かい泡立てられたミルクの調製のためにも行なわれる。このギヤポンプは、混合ノズルにミルクを送給する。コーヒーマシンからの蒸気は、蒸気接続部を介してこのノズルに同時に供給される。既に上に説明されたように、蒸気は真空を形成し、それは、一方では、ミルクにさらなる吸引を及ぼし、ギヤポンプを通る送給を助け、他方では、同様の少なくとも部分的に開いているバルブ要素２０を通して空気を吸引する。混合ノズルチャンバ９７では、ミルクは蒸気と混合され、それによりそれを加熱し、空気が同時に混ぜ合せられ、したがって、小さな気泡が生じ、ミルク泡沫が生じる。暖かい、泡立てられたミルクはミルク泡沫出口を通して分配供給される。
【００８７】
言及されたように、および状況に依存して、３／２ウェイバルブまたは別の手段によって、バルブ要素２０を、ギヤポンプ７または混合ノズルチャンバ９７に、それぞれ、冷たいミルク泡沫および暖かいミルク泡沫の生成のために、選択的に接続することができる。言及されたように、さらに、混合ノズルチャンバへの空気供給をバルブ要素２０を介してではなく直接的な態様で行うことができ、その場合、空気の供給は、暖かいミルク泡沫を生成するときに別途の手段によって調節することができない。
【００８８】
さらに、ユーザはさらに冷たいミルクを送給することしかできないことも構想され得る。この場合、ギヤポンプは駆動されるが、バルブ要素は閉じられたままであり、さらに、蒸気は供給されない。
【００８９】
さらに、ユーザが暖かいミルクを調製することができることも構想され得る。この場合、空気が通って混合チャンバに入ることができるバルブ要素は、閉じられる。万一混合ノズルチャンバのための別のバルブが与えられる場合（図において表された実施の形態とは異なる）、それぞれのバルブを閉鎖可能な態様で設計する可能性がさらにある。バルブの閉鎖は、たとえば機械的にユーザによって手動で構想することもできる。暖かいミルクの調製のために、ミルクがギヤポンプによってミルク容器３から送給され、空気も供給されずに、蒸気が混合ノズル７９において同時に供給される。暖かいミルクが冷たいミルクの蒸気との混合により生じ、これが次いでミルク泡沫出口２８を介して分配供給される。
【００９０】
現場清掃については、容器がミルク泡沫出口２８より下に配置され、温水または蒸気がフィードスルー導管９６ならびに湯および／または蒸気供給導管３２を通して供給される。ギヤポンプは同時に動作状態にセットされる。
【００９１】
しかしながら、ミルク泡立器具は、さらに、それが取外された後、清浄が非常に簡単である。ミルク容器３および蓋６はいかなる問題もなく食洗機対応態様で設計することができる。ミルク泡立ユニット５は、同様に、単純であり、取り外され、清掃されることができ、封止部２１がダックビルバルブ４１、４２、４３と１つのピースとして設計されること、およびそれが面一態様で上側メインハウジング部品１４の表面で終端することは、有用である。
【００９２】
最終的に、ドッキング要素は、ミルクと接触する部品（主本体２５、補足部品２７）が食洗機対応態様で設計されて、単純に取外すことができ、さらに単一の（正確な）構成のみにおいて再び組付けられて、単純である、という事実のため、清掃が簡単である。
【００９３】
図２４および図２５は代替的実施の形態を表す。これは、上に記載される実施の形態とは異なり、ギヤポンプの空気供給路に向かっての−したがってたとえば記載されたタイプのたとえば空気供給導管３４への、または直接ポンプチャンバへの−空気の供給は、ミルク泡立器具に属するバルブユニットによっては行なわれず、飲料調製機から来る態様で、行われる。飲料調製機は、この目的のために、たとえば電子的に調節されるバルブユニットを含む。このバルブユニットは、本質的に、上に記載されるミルク泡立器具のバルブユニットと同じ機能原理に基くことができる。それは、代替的に、たとえばそれが１つのバルブユニットのみを含むことにより、異なる機能原理を有することができる。
【００９４】
この目的のために、ドッキング要素は、飲料調製機に向かって空気接続部１５１を含む。空気は、ここではドッキング要素を水平に通って通過する空気フィードスルー１５２を通ってミルク泡立ユニット内に達する。表された実施の形態例では、空気フィードスルーの或るセクションは、ドッキング要素ハウジング２６の管部分１５５によって形成されるが、しかしながら、それは必須でない（空気フィードスルーに関して、定期的な清掃は、ミルクが流れる導管とは対照的に、必須ではない）。
【００９５】
電気接点が接点モジュール１６０によって形成されることができる可能性が、図２５においてさらに示され、このモジュールはたとえば回路基板などを含み、ドッキング要素ハウジング２６において好適な凹部内に挿入可能であり得る。
【００９６】
ミルク泡立ユニットにおいて配置されたバルブユニットは、図２４および図２５に従う実施の形態においてなしでなされる。
【００９７】
多数のさらなる変形物が考えられる。既に論じられたオプションとは別に、さらに、（ポンプからの）冷たいミルク泡沫および（混合ノズルにおいて形成された）暖かいミルク泡沫のために導管を出口まで互いから分離して保持する可能性があり、つまり、そのとき、冷たいミルク泡沫は混合ノズルを介して導かれない。その場合、ミルク泡沫出口は、冷たいミルク泡沫および暖かいミルク泡沫のために、互いから分離した開口、たとえば互いに対して同心の開口を含むことができる。冷たいミルク泡沫および暖かいミルク泡沫のための、互いから完全に分離しているミルク泡沫出口も、考えられ得、上に論じられるミルク泡沫出口とホット飲料出口との間の最大の距離のためのオプションの条件は、この場合、たとえば暖かいミルク泡沫の放出に関して当てはまり、なぜならば、ホット飲料と混合されるのが多くの場合このミルク泡沫であるからである。
【符号の説明】
【００９８】
参照番号リスト：
１  ミルク泡立器具
３  ミルク容器
５  ミルク泡立ユニット
６  蓋
７  ギヤポンプ
１１  下側メインハウジング部品
１２  窓
１３  電気モータ
１４  上側メインハウジング部品
１５  アーチ形状部（ミルク泡立ユニットカバーにおける）
１６  ミルク泡立ユニットカバー
１７  ギヤ
１８  ミルク吸引管
１９  シャフト
２０  バルブユニット
２１  封止部
２２  接続形状化部
２３  スペーサ
２４  モータ封止要素
２５  主本体（ドッキング要素の）
２６  ドッキング要素ハウジング
２７  補足部品
２８  ミルク泡沫出口
２９  端面
３１  液体導管
３２  湯および／または蒸気供給導管
３４  空気供給導管
３５  送出導管
３６  フィードスルー
４１  ダックビルバルブ
４２  ダックビルバルブ
４３  ダックビルバルブ
５１  湯および／または蒸気供給導管のためのチャネル
５２  空気供給導管のためのチャネル
５３  送出導管のためのチャネル
６１  バルブハウジング
６２  閉鎖要素
６３  封止要素
６４  電磁石
６５  ばね
６６  固定リング
６７  封止部分
６８  封止部
７１  バルブチャンバ
７３  空気接続スタブ
７９  混合ノズル
８０  広範囲なセクション
８１  ジョイント
８２  空気フィードスルー
８３  フィードスルー（ミルクのための）
８４  湯または蒸気のためのフィードスルー
８５  蒸気のためのフィードスルー
８６  湯または蒸気のためのフィードスルー
８７  ダックビルバルブ
８８  ダックビルバルブ
８９  混合ノズル要素
９０  位置決めリングのためのリング（構造）
９１  ミルク泡沫出口継続部
９２  空気供給路のための開口
９３  ミルク供給のための開口
９４  位置決めリング
９５  蒸気接続開口
９６  フィードスルー導管
９７  混合ノズルチャンバ
９８  電気接点
９９  混合ノズル開口
１００  飲料調製システム
１０１  コーヒーマシン
１０３  配置プラットフォーム
１０５  コーヒー出口
１０６  前部
１０７  ミルク泡立器プラットフォーム
１０８  出口フード
１１０  接続位置
１１０’  代替的インターフェイス
１１１  蒸気送給位置
１１２  湯および／または蒸気送給位置
１１３  電気接点
１２１  電子機器ユニット
１５１  空気接続部
１５２  空気フィードスルー
１５５  管部分
１９５  活性化部
１９５’  代替的活性化部
２００  飲料容器
【図１】
0006605592.tif 000002
【図２】
0006605592.tif 000003
【図３】
0006605592.tif 000004
【図４】
0006605592.tif 000005
【図５】
0006605592.tif 000006
【図６】
0006605592.tif 000007
【図７】
0006605592.tif 000008
【図８】
0006605592.tif 000009
【図９】
0006605592.tif 000010
【図１０】
0006605592.tif 000011
【図１１ａ】
0006605592.tif 000012
【図１１ｂ】
0006605592.tif 000013
【図１１ｃ】
0006605592.tif 000014
【図１２】
0006605592.tif 000015
【図１３】
0006605592.tif 000016
【図１４ａ】
0006605592.tif 000017
【図１４ｂ】
0006605592.tif 000018
【図１５ａ】
0006605592.tif 000019
【図１５ｂ】
0006605592.tif 000020
【図１５ｃ】
0006605592.tif 000021
【図１５ｄ】
0006605592.tif 000022
【図１６ａ】
0006605592.tif 000023
【図１６ｂ】
0006605592.tif 000024
【図１７ａ】
0006605592.tif 000025
【図１７ｂ】
0006605592.tif 000026
【図１７ｃ】
0006605592.tif 000027
【図１７ｄ】
0006605592.tif 000028
【図１８ａ】
0006605592.tif 000029
【図１８ｂ】
0006605592.tif 000030
【図１８ｃ】
0006605592.tif 000031
【図１９】
0006605592.tif 000032
【図２０】
0006605592.tif 000033
【図２１】
0006605592.tif 000034
【図２２】
0006605592.tif 000035
【図２３】
0006605592.tif 000036
【図２４】
0006605592.tif 000037
【図２５】
0006605592.tif 000038